(57)【要約】【課題】連続してナットを着脱することができるナット脱落防止工具を提供することを目的とする。【解決手段】本発明にかかるナット脱落防止工具の代表的な構成は、ナットの着脱に使用するナット脱落防止工具６であって、絶縁性を有する弾性材料により構成され、前記ナットに密着して保持する収容空間１を有する円筒体を形成することを特徴とする。本発明によれば、ナット脱落防止工具は複数のナットを収容空間内に保持することができるため、連続してナットを着脱することができる。【選択図】図１
2012166300.tif 000002
【特許請求の範囲】
【請求項１】
ナットの着脱に使用するナット脱落防止工具であって、絶縁性を有する弾性材料により構成され、前記ナットに密着して保持する収容空間を有する円筒体を形成することを特徴とするナット脱落防止工具。
【請求項２】
ナットの着脱に使用するナット脱落防止工具であって、絶縁性を有する弾性材料により構成され、ドライバの先端部分に密着する中心孔を有する差込みスリーブ部と、前記中心孔とは隔壁を隔てて反対側に、前記ナットに密着して保持する収容空間を有するナット保持部とを一体に形成したことを特徴とするナット脱落防止工具。
【請求項３】
ナットの着脱に使用するナット脱落防止工具であって、絶縁性を有する弾性材料により構成され、前記ナットに密着して保持する収容空間を有する管状体を形成することを特徴とするナット脱落防止工具。
【請求項４】
前記収容空間の内径が前記ナットの外径より小さいことを特徴とする請求項１〜３に記載のナット脱落防止工具
【請求項５】
前記収容空間の少なくとも一方の開放端の端縁から半径方向内方に突出する内方環状リムを有することを特徴とする請求項１〜３に記載のナット脱落防止工具。
【請求項６】
前記収容空間の少なくとも一方の開放端の端縁から半径方向外方に突出する外方環状リムを有することを特徴とする請求項１〜３に記載のナット脱落防止工具。
【発明の詳細な説明】
【技術分野】
【０００１】
本発明は、ナットの着脱に使用する工具に関するものである。
【背景技術】
【０００２】
地中送電線と変電設備・架空送電線との接合部は、リード線により接続されボルトとナットで締め付けて接続されている。設備を停止してリード線を外す作業をする際、スパナやラチェットを用いでナットを緩めて外している。そのとき、安全手袋を着用しているため手の動きが不自由となり、ナット落下による短絡・地絡事故が発生する危険があった。
【０００３】
このため従来は、ナットにひも付きキャップを取付けたり、落下防止ネットを作業場に設置など様々な対策が実施されている。しかし、作業効率の低下することから作業効率の低下を招かず、確実にナットの脱落防止を図れる方策が望まれる。
【０００４】
この問題を解決するための技術としては、「ドライバ用アタッチメント」(特許文献１)がある。本発明に係る「ドライバ用アタッチメント」は、絶縁性を有する弾性材料により、ドライバの先端部分に密着する中心孔を有する差込みスリーブ部と、ねじ又はボルトのヘッド及び座金に密着して保持する収容空間を有するヘッド保持部とを一体に形成したため、手が入り込まない箇所であっても、また作業が不安定な長尺のドライバであっても、ねじ又はボルトを脱落することなく着脱することができ、金属製のねじ又はボルトの落下による短絡・地絡事故を防止するものである。
【先行技術文献】
【特許文献】
【０００５】
【特許文献１】実用新案登録第３０８６０７７号公報
【発明の概要】
【発明が解決しようとする課題】
【０００６】
しかし、この「ドライバ用アタッチメント」はねじを１個しか保持することができないため、連続してねじを着脱することができない。
【０００７】
したがって、本発明は、連続してナットを着脱することができるナット脱落防止工具を提供することを目的とする。
【課題を解決するための手段】
【０００８】
本発明にかかるナット脱落防止工具の代表的な構成は、ナットの着脱に使用するナット脱落防止工具であって、絶縁性を有する弾性材料により構成され、前記ナットに密着して保持する収容空間を有する円筒体を形成することを特徴とする。
【０００９】
かかる構成によれば、収容空間内に複数のナットを保持することができるため、連続してナットを着脱することができる。
【００１０】
本発明にかかるナット脱落防止工具の代表的な構成は、ナットの着脱に使用するナット脱落防止工具であって、絶縁性を有する弾性材料により構成され、ドライバの先端部分に密着する中心孔を有する差込みスリーブ部と、前記中心孔とは隔壁を隔てて反対側に、前記ナットに密着して保持する収容空間を有するナット保持部とを一体に形成したことを特徴とする。
【００１１】
かかる構成によれば、手が入り込まない箇所であっても、ナットを着脱できる。
【００１２】
本発明にかかるナット脱落防止工具の代表的な構成は、ナットの着脱に使用するナット脱落防止工具であって、絶縁性を有する弾性材料により構成され、前記ナットに密着して保持する収容空間を有する管状体を形成することを特徴とする。
【００１３】
かかる構成によれば、ナット脱落防止工具のいずれの開放端からもナットを着脱することができる。
【００１４】
前記収容空間の内径が前記ナットの外径より小さいことが好ましい。
【００１５】
かかる構成によれば、弾性材料がナットを締め付け、確実にナットを保持することができる。
【００１６】
前記収容空間の少なくとも一方の開放端の端縁から半径方向内方に突出する内方環状リムを有することが好ましい。
【００１７】
かかる構成によれば、収容空間内に保持されたナットが脱落するのを防止できる。
【００１８】
前記収容空間の少なくとも一方の開放端の端縁から半径方向外方に突出する外方環状リムを有することが好ましい。
【００１９】
かかる構成によれば、開放端の端縁をリード線に密着させ、確実にナットを収容空間内に咥え込ませることができる。
【発明の効果】
【００２０】
本発明によれば、ナット脱落防止工具は複数のナットを収容空間内に保持することができるため、連続してナットを着脱することができる。
【図面の簡単な説明】
【００２１】
【図１】（ａ）は第１実施形態に係るナット脱落防止工具の断面図、（ｂ）は側面図である。
【図２】第１実施形態に係るナット脱落防止工具を使用する状態を示す概要図である。
【図３】（ａ）は第１実施形態に係るナット脱落防止工具にナットを保持した状態を示す一部断面図、（ｂ）は側面図である。
【図４】第２実施形態に係るナット脱落防止工具の断面図である。
【図５】第２実施形態に係るナット脱落防止工具をドライバに装着した状態を示す概要図である。
【図６】ドライバの先端に装着した第２実施形態に係るナット脱落防止工具の収容空間内に、ナットを保持した状態を示す一部断面図である。
【図７】第３実施形態に係るナット脱落防止工具の断面図である。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
［第１実施形態］
図１の（ａ）は第１実施形態に係るナット脱落防止工具の断面図、（ｂ）は側面図、図２は第１実施形態に係るナット脱落防止工具を使用する状態を示す概要図、図３の（ａ）は第１実施形態に係るナット脱落防止工具にナットを保持した状態を示す一部断面図、（ｂ）は側面図である。
【００２４】
図１に示すように、ナット脱落防止工具６は絶縁性を有する弾性材料であるゴムにより構成されている。また、ナットに密着して保持する収容空間１を有し、底面５のある円筒体を形成する。
【００２５】
図２に示すように、既にボルト７にねじ込まれているナット８を外すときは、まずスパナやラチェットでナット８を緩める。次にナット脱落防止工具６の開放端２を手で持ち、収容空間１（図１参照）内に緩めたナット８を咥え込ませてから回して外す。
【００２６】
一方、ナット８をねじ込むときは、ナット８が収容されたナット脱落防止工具６の開放端２を手で持ち、ボルト７に嵌めて回す。次に、スパナやラチェットで締め付ける。
【００２７】
図３に示すように、ナット８は外すと同時にナット脱落防止工具６の収容空間１内に保持され、また収容空間１が深いため複数のナット８を連続して外すことができる。
【００２８】
一方、複数のナット８を保持したナット脱落防止工具６を用いて、開放端２に近いナット８から連続してねじ込むことができる。
【００２９】
ナット脱落防止工具６はゴムで構成されており、その弾性によりナット８の大きさに応じて変形し、収容空間１内にナット８を咥え込むため、確実にナット８を保持する。また、ゴムは絶縁性を有することより、短絡・地絡事故を防止する。
【００３０】
なお、材料はゴムに限られず、絶縁性を有する弾性材料であれば、シリコンーンゴム、エラストマーなど他の材料でもよい。
【００３１】
そして、本実施形態に係る工具は、収容空間１の内径がナット８の外径より小さい。これより、ゴムがナット８を締め付け、より確実にナット８を保持することができる。
【００３２】
本実施形態に係る工具は、図１、３に示すように、収容空間１の開放端２の端縁から半径方向内方に突出する内方環状リム４を有する。これにより、保持されたナット８が収容空間１から脱落するのを確実に防止できる。
【００３３】
また、本実施形態に係る工具は、図１、２に示すように、収容空間１の開放端２の端縁から半径方向外方に突出する外方環状リム３を有する。これにより、収容空間１の開放端２をナット８に被せ、ボルト７とナット８に挟まれたリード線９に密着させることができるため、確実にナット８を着脱することができる。
【００３４】
このように、本実施形態に係る工具は、収容空間１に複数のナット８を保持することができるため、連続した着脱作業が可能となり、作業効率の向上が図れる。本実施形態に係る工具は、弾性のあるゴムで構成され内方環状リム４を有するため、ナット８の着脱時の脱落を確実に防止することができる。ゴムは絶縁性を有することより、短絡・地絡事故を防止する。また、外方環状リム３により確実にナット８を着脱することができる。
【００３５】
［第２実施形態］
図４は第２実施形態に係るナット脱落防止工具の断面図、図５は第２実施形態に係るナット脱落防止工具をドライバに装着した状態を示す概要図、図６はドライバの先端に装着した第２実施形態に係るナット脱落防止工具の収容空間内に、ナットを保持した状態を示す一部断面図である。
【００３６】
図４、５に示すように、ナット脱落防止工具６は絶縁性を有する弾性材料であるゴムにより構成されている。また、ドライバ１４の先端部分に密着する中心孔１２を有する差し込みスリーブ部１１と、中心孔１２とは隔壁１３を隔てて反対側に、ナットに密着して保持する収容空間１を有するナット保持部１０とを一体に形成する。
【００３７】
図５、６に示すように、差し込みスリーブ１１の中心孔１２にドライバ１４を差し込んで装着して使用する。これにより、手が入り込まない箇所であっても、脱落することなくナット８を着脱でき、ナット８の落下による短絡・地絡事故を防止することができる。
【００３８】
［第３実施形態］
図７は第３実施形態に係るナット脱落防止工具の断面図である。
【００３９】
図７に示すように、ナット脱落防止工具６は、絶縁性を有する弾性材料により構成されている。また、ナットに密着して保持する収容空間１を有する管状体を形成する。
【００４０】
開放端２が左右にあるため、いずれの開放端２からもナットを着脱することができる。このように、使い勝手が向上する。
【００４１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００４２】
１    収容空間
２    開放端
３    外方環状リム
４    内方環状リム
５    底面
６    ナット脱落防止工具
７    ボルト
８    ナット
９    リード線
１０  ナット保持部
１１  差し込みスリーブ
１２  中心孔
１３  隔壁
１４  ドライバ
【図１】
2012166300.tif 000003
【図２】
2012166300.tif 000004
【図３】
2012166300.tif 000005
【図４】
2012166300.tif 000006
【図５】
2012166300.tif 000007
【図６】
2012166300.tif 000008
【図７】
2012166300.tif 000009